(57)【要約】  本発明は、平坦な面で形成された屋根、および横断面が異なるものも含め台形のリブを備えたノッチ付きパネルで形成された屋根で汎用的に使用することができることを特徴とする、太陽電池パネルを屋根の水平位置に固定するのに使用される取り付け金具に関する。【選択図】図４
2012515279.tif 000002
【特許請求の範囲】
【請求項１】
太陽電池パネル用の汎用固定取り付け金具であって、基本的に十字形の箱状の本体を備えており、この本体が、共に基本的に台形の横断面を備えているが側面（２ａ、３ａ）の傾斜が異なっている直線で囲まれた２つのくぼんだ部分（２、３）の交点から形成されることを特徴とする汎用取り付け金具。
【請求項２】
その基部が、前記十字形の箱状の本体の４本のアームの中間位置に４つのプレート（５）を備えることを特徴とする、請求項１に記載の汎用取り付け金具。
【請求項３】
各台形部分（２、３）の上部水平壁が、固定ねじを受けるための１つまたは複数の円形の貫通穴（２ｂ、３ｂ）を備えることを特徴とする、請求項１に記載の汎用取り付け金具。
【請求項４】
各台形部分（２、３）の前記傾斜した側面（２ａ、３ａ）が、固定ねじを受けるための１つまたは複数の円形の貫通穴（２ｄ、３ｄ）を備えることを特徴とする、請求項１〜３のいずれか一項に記載の汎用取り付け金具。
【請求項５】
前記台形部分（２、３）の上部面の横方向の位置に一組の隆起した縁部（２ｃ、３ｃ）を備えることを特徴とする、請求項１〜４のいずれか一項に記載の汎用取り付け金具。
【請求項６】
前記台形部分（２、３）の交差地点に円形の貫通穴（４）を備え、この穴（４）に挿入されたボルトのねじ込み式心棒（１０）が正確に下から上に横断することを特徴とする、請求項１〜５のいずれか一項に記載の汎用取り付け金具。
【請求項７】
前記台形部分（２、３）の交差地点において垂直方向に突出するくぼんだ付属物を備え、この付属物がボルトの多角形ヘッドのように成形された下方部分（７）と、基本的に円筒形の上方部分（８）とで構成されており、前記多角形のヘッドが前記下方部分（７）に正確に係合するように、前記付属物に下から上に挿入されたボルトの前記ねじ込み式心棒が貫通するように適合された軸方向の穴（９）が両方の部分を横断することを特徴とする、請求項１〜５のいずれか一項に記載の汎用取り付け金具。
【請求項８】
ポリウレタンまたは他の本質的に弾性の材料でできているガスケット（６）を備え、このガスケットが前記台形部分（２、３）の一方の内部壁に完全に密着することが可能であることを特徴とする、請求項１〜７のいずれか一項に記載の汎用取り付け金具。
【請求項９】
成型されたプラスチック材料でできていることを特徴とする、請求項１〜８のいずれか一項に記載の汎用取り付け金具。
【発明の詳細な説明】
【技術分野】
【０００１】
本特許出願は、太陽電池パネルを屋根の水平位置に固定するのに使用される汎用取り付け金具に関する。
【背景技術】
【０００２】
周知のように、特に工業または手工芸活動用の倉庫に関してエネルギー削減を目的とした太陽電池パネルの利用が著しく増加している。
【０００３】
実際にこの種の建物では屋根は、ポリウレタン発泡体の厚みのある支持層と、上部のシートメタルカバーで構成されたサンドイッチ様構造のノッチ付きパネルでできている。
【０００４】
現在市場では代替の型のノッチ付きパネルが販売されており、これは金属カバーの表面での使用される部分という観点において異なっている。
【０００５】
全てのノッチ付きパネルは、はっきり目立つ複数の隆起したリブがあることを特徴とし、これらのリブが通常台形の横断面を備える一方で、該パネルは１つの統一された型で製造されるのではなく、隆起したリブの使用される部分が異なる代替の型で製造されることも周知である。
【０００６】
現行モデルのノッチ付きパネルに設けられたリブは基本的に同じ高さであると理解されているが、側面の幅および傾斜は異なることに留意されたい。
【０００７】
さらに他のケースでは屋根は、隆起したリブを備えていない従来式の平坦な面で今も形成されている。
【０００８】
その時々で使用される固有のタイプの屋根材料に関わらず、太陽電池パネルの屋根への設置は、２つの代替技術によって実施することができる。
【０００９】
最初の技術によって、パネルを支え固定するために管状バーの格子が屋根材料上に形成される。
【００１０】
代替の技術によって、複数の頑強な取り付け金具が屋根材料上に設置され、そこから垂直軸を有するねじ込み式の心棒が垂直方向に突き出る。
【００１１】
管状バーは、ねじ込み式心棒にねじ止めされて太陽電池パネルを支える。
【００１２】
後者の技術によって、後者のねじ込み式心棒が中間位置で垂直方向に突出するように、２つの隣接する太陽電池パネルの境界が各固定プレートの２つの面において対向する側に配置される。
【００１３】
その後、貫通穴を備えるのに適した小さなプレートが心棒に挿入され、２つの隣接する太陽電池パネルが偶発的に持ち上がるのを防ぐようにその上部面に対して上から下に係合するように適合される。
【００１４】
完全に平坦な屋根に現在設置されている取り付け金具は簡素なプレートでできており、垂直方向に突出する中央が深く延伸された部分と、ねじ込み式心棒が下から上に挿入される穴を備えるのが好ましい。
【００１５】
屋根材料がノッチ付きパネルでできている場合、パネルの厚みが最大であり、その結果耐性が最も大きくなる地点でパネルの各リブに「またがって」取り付け金具が設置される。 
【００１６】
このような理由のために、ノッチ付きパネルと協働するように適合された取り付け金具は、基本的にＵ字型を逆さまにした部分を備えており、この部分によって取り付け金具がパネルのリブに正確に重なることが可能になる。
【００１７】
このような状況を達成するために、各取り付け金具のこの部分は対応するリブのその部分に完全に一致しなければならない。
【００１８】
市場では少なくとも２つの型のノッチ付きパネル、すなわちより幅の大きなリブを備えたものと、より幅の小さいリブを備えたものが販売されていることを考えると、取り付け金具は２つの異なる型で作成され、そのそれぞれが該タイプのリブの片方のみに合うように適合されなければならないことは明らかである。
【００１９】
これらの前提を考慮すると、太陽電池パネルを据え付ける者は、平坦な面または極めて幅の広いリブを備えたノッチ付きパネルまたはあまり幅の広くないリブを備えたノッチ付きパネルを有する屋根材料に対してそれぞれ異なる方法で作業することを求められる可能性があるため、設置者は常に３種類の支持プレートを備えている必要があることは明白であると思われる。
【発明の概要】
【発明が解決しようとする課題】
【００２０】
本発明の特定の目的は、３種類の屋根に簡便かつそれぞれ異なる方法で固定すること可能な汎用取り付け金具を最初に考案することである。
【課題を解決するための手段】
【００２１】
本発明の取り付け金具は、基本的に正方形の形状を備え、特有のくぼんだ十字形構造であり、十字の２本のアームは、基本的に台形の横断面を有する直線で囲まれた２つのくぼんだ部分で構成されており、この部分は側面の傾斜が異なり、結果として内部空洞の幅が異なっているということを言う必要がある。
【００２２】
具体的には、これらの直線で囲まれたくぼんだ部分の一方は、屋根で使用される第１のタイプのノッチ付きパネルのリブに「またがって」最適に据えることができる台形の横断面を備えている。
【００２３】
同様に直線で囲まれた第２のくぼんだ部分は、第２のタイプのノッチ付きパネルのリブに「またがって」最適に据えることができる台形の横断面を備えている。
【００２４】
中央に穴を備えた４つのパネルが、十字の４本のアームの中間位置で同様の十字形構造の基部に設けられる。
【００２５】
さらにこの４つの「角を成す」プレートと、十字形のくぼんだ構造の２本の直交するアームの上部壁が貫通穴を備えることによって、屋根材料の対応するパネルに対して上から下に固定ねじを挿入することが可能になる。
【００２６】
上記の本発明の概略的な記載を考慮すると、本発明の取り付け金具を、屋根材料の３種類のパネルそれぞれに正確に固定することができることは明らかであると思われる。
【００２７】
完全に平坦な屋根材料の場合、本発明の取り付け金具の設置は、取り付け金具を４つの角を成すプレートにおいて屋根材料に係合させ、このプレート上に設けられた穴を通るように上から下に挿入されたねじによってそれを固定することによって行なわれる。
【００２８】
その時々によって固定リブの特定の部分に適合する部分を選択した後、くぼんだ台形部分があることによってパネルをノッチ付きパネルのリブに結合させるのが有利になる。
【００２９】
さもなければ、本発明の取り付け金具を装備した作業者は、単に取り付け金具全体を９０°回転させるだけで、その時々によってリブの特定の部分に完全に合うくぼんだ台形部分を選択することができると言えよう。
【００３０】
取り付け金具とノッチ付きパネルのリブの間に「雄−雌」結合に似た結合が実現されると、それらは、両方の台形部分の上部の水平壁に設けられた貫通穴の中に上から下に挿入された垂直軸を有するねじを利用して相互にかつ最終的に固定される。
【００３１】
本発明の取り付け金具の固定さらに高度に安定させることを保証するために、同じ取り付け金具に、２つの台形部分の側部の傾斜面に補助的な貫通穴（常に対応するねじを受けるように適合されている）を設けることもできる。
【００３２】
当然のことながら取り付け金具は、大きな貫通穴を備えたくぼんだ十字形構造の中央に設けられ、ボルトのねじ込み式心棒が下から上にこの貫通穴からその内部に完全に挿入され垂直方向に突き出ることができる。
【００３３】
明確にする目的で本発明の記載は添付の図面を参照して以下に続けられ、この図面は、限定する意味ではなく単に例示することを目的とすることが意図されている。
【図面の簡単な説明】
【００３４】
【図１】平坦な面を有する屋根材料に対する本発明の取り付け金具の設置方法の不等角投影図である。
【図２】台形のリブの構成のみが異なる代替の２種類のノッチ付きパネルに対する本発明の取り付け金具の設置方法の不等角投影図である。
【図３】台形のリブの構成のみが異なる代替の２種類のノッチ付きパネルに対する本発明の取り付け金具の設置方法の不等角投影図である。
【図４】本発明の取り付け金具の代替の実施形態に関するものであることを除いて、上記の図面と同様の図である。
【図５】図４の取り付け金具を示す不等角投影図である。
【発明を実施するための形態】
【００３５】
図１、２および３に関して、本発明の取り付け金具（１）は基本的に正方形の形状を備え十字形の箱状の本体を有しており、この本体は、基本的に台形の横断面を備えた直線で囲まれた２つのくぼんだ部分（２、３）の交点から形成されている。
【００３６】
実際には第１の部分（２）の側面（２ａ）は、第２の部分（３）の側面（３ａ）より広げられている。
【００３７】
２つの部分（２、３）の上部の水平の壁は円形の貫通穴（２ｂ、３ｂ）を備えており、横断面がより大きな付加的な円形貫通穴（４）が部分（２、３）の交差地点に設けられている。
【００３８】
基本的に垂直軸を有する対応するねじ込み式心棒（１０）が後者の穴を下から上に横切っており、この心棒は実際は太陽電池パネルの支持構造を固定するのに使用されるように適合されている。
【００３９】
４つの基本的に正方形の「角を成す」プレート（５）が、十字形の箱状の本体の基部で本体の４本のアームにおける中間位置に設けられ、そのそれぞれが中央貫通穴（５ａ）を備えている。
【００４０】
詳細には図１は、完全に平坦な面の屋根（Ｓ）に対する本発明の取り付け金具（１）の固定方法を示している。
【００４１】
先に述べたようにこのようなケースでは取り付け金具（１）は、支持脚として作用する角を成すプレート（５）によって屋根（Ｓ）の上に配置され、その後屋根（Ｓ）と係合するようにプレート（５）の貫通穴（５ａ）に上から下に挿入されるねじを利用してしっかりと固定される。
【００４２】
図２および図３は、リブ（Ｃ１、Ｃ２）の横断面が異なる２つのノッチ付きパネル（Ｐ１、Ｐ２）と組み合わされた本発明の取り付け金具（１）を示している。
【００４３】
本発明の取り付け金具（１）と同様の実例は、ポリウレタンガスケット（６）を必然的に介在させてその時々によって直線で囲まれた部分（２、３）の対応する方を選択して、リブ（Ｃ１、Ｃ２）のいずれか一方をまたいで正確に設置することができる。
【００４４】
上記に示されるように設置が行なわれると、パネル（Ｐ１、Ｐ２）のリブ（Ｃ１、Ｃ２）のポリウレタン構造の内部に貫通するように、部分（２、３）の貫通穴（２ｂ、３ｂ）に上から下に挿入された垂直軸を有するねじを使用して結合が安定される。
【００４５】
ノッチ付きパネルの場合に使用されるガスケット（６）は、２通りの機能を有して設けられる点で有利であることに注意されたい。
【００４６】
一方で取り付け金具（１）の固定ねじを設置する際、リブ（Ｃ１、Ｃ２）に形成された穴を通ってパネル（Ｐ１、Ｐ２）のポリウレタン内部構造に水が浸透するのがこのガスケットによって阻止される。
【００４７】
その一方でポリウレタン構造に固有の弾性によって、ガスケット（６）は、取り付け金具（１）の２つの台形部分（２、３）を横断面が完全には適合しないノッチ付きパネルのリブにも理想的に結合するのに有利である。
【００４８】
台形部分（２、３）に与えられる特有の形状は、屋根材料の２つの最も一般的なタイプのノッチ付きパネルによって与えられてきたことは確かに正しいと言えよう。
【００４９】
それにもかかわらず市場では他の型のノッチ付きパネルが販売されており、これらはリブの台形の横断面の特有の構造がそれぞれ異なっている。
【００５０】
こういった場合、リブの形状は本発明の取り付け金具（１）の台形部分（２、３）の形状と完全には一致しない。
【００５１】
そのような場合、ガスケット（６）を介在させることは、ノッチ付きパネルのリブの横断面と取り付け金具（１）の台形部分（２、３）のうちの一方のその部分との形態的な差を相殺し、その結果それらの間に生じる得るいかなる「隙間」も排除するのに特に有益である。
【００５２】
固定ねじを設置すると、ガスケット（６）は、ノッチ付きパネルのリブ（Ｃ１、Ｃ２）と、取り付け金具（１）の台形部分（２、３）の間でしっかりと圧縮され、このような圧縮が、リブの横断面と台形部分の横断面の特有の形態的な差によってより高いまたはより低い値を有することは明らかである。
【００５３】
図４および図５は、本発明の取り付け金具（１１）の代替の変形を示しており、これは成型されたプラスチック材料で形成されるのが好ましい。
【００５４】
第１の特徴は、台形部分（２、３）の上部壁が両側にある隆起した縁部（２ｃ、３ｃ）によって区切られていることである。
【００５５】
本発明の取り付け金具（１１）のこの実施形態の別の特徴は、２つの台形部分（２、３）の傾斜した側面（２ａ、２ｂ）にも固定ねじを挿入するための貫通穴（２ｄ、３ｄ）が設けられることである。
【００５６】
さらに垂直方向に突出するくぼんだ付属物が２つの台形部分（２、３）の交差地点に設けられ、これは、ボルトの多角形ヘッドのように成形された下方部分（７）と、基本的に円筒形の上方部分（８）とを備え、垂直軸（９）を有する穴が両方の部分を横断している。
【００５７】
ボルトのねじ込み式心棒（１０）がこの穴（９）を下から上に横断し、そのヘッドは、恐らく自由に回転することなく付属物の多角形の下方部分（７）に正確に係合される。
【００５８】
このようにボルトのヘッドによって取り付け金具（１１）の下方側には全く障害が形成されず、これによりねじ込み式心棒（１０）が垂直方向に突出し、２つの近接する太陽電池パネル（Ｆ）を固定するのに使用するのに有利である。
【００５９】
図４を参照すると、ねじ込み式心棒（１０）は、本発明の取り付け金具（１１）と同一の実例の対向する側で隆起した縁部（２ｃ、３ｃ）上に正確に配置された２つの近接する太陽電池パネル（Ｆ）の境界の間に位置決めされる。
【００６０】
このような場合成型されたプレート（１２）が心棒（１０）に沿って上から下に挿入され、このプレートは、２つの隣接する太陽電池パネル（Ｆ）の境界の上に配置され、固定ナット（１３）を利用してこのような位置にしっかりと固定される。
【００６１】
本発明の取り付け金具（１１）の後者の変形は、ちょうど金属構造を有する太陽電池パネル（Ｆ）を固定するのに使用されるプレート（１２）のように、成型されたプラスチック材料で形成されるのが好ましい。
【００６２】
後者のパネル（Ｆ）が本発明の取り付け金具（１１）の隆起した縁部（２ｃ、３ｃ）上に置かれる際、それらが、台形部分（２、３）に設けられた穴（２ｂ、３ｂ）に上から下に挿入された固定ねじの金属ヘッドに対して直接接触するのが阻止される。
【００６３】
隆起した縁部（２ｃ、３ｃ）があることによって、太陽電池パネル（Ｆ）と固定ねじの間に電気絶縁を実現することが可能になり、これは取り付け金具（１１）が、例えばプラスチックなどの非導電性材料から成型される際に迷走電流が生じるのを防ぐのに有益である。
【符号の説明】
【００６４】
１  取り付け金具
２  台形部分
２ａ側面
２ｂ貫通穴
２ｃ隆起した縁部
２ｄ貫通穴
３  台形部分
３ａ側面
３ｂ貫通穴
３ｃ隆起した縁部
３ｄ貫通穴
４  貫通穴
５  プレート
５ａ貫通穴
６  ガスケット
７  付属物の下方部分
８  付属物の上方部分
９  軸方向の穴
１０  心棒
１１  取り付け金具
１２  成型プレート
１３  固定ナット
Ｃ１、Ｃ２  リブ
Ｓ  屋根
Ｐ１、Ｐ２  ノッチ付きパネル
Ｆ  太陽電池パネル    
【図１】
2012515279.tif 000003
【図２】
2012515279.tif 000004
【図３】
2012515279.tif 000005
【図４】
2012515279.tif 000006
【図５】
2012515279.tif 000007
【国際調査報告】
2012515279.tif 000008
2012515279.tif 000009